(57)【要約】【課題】商品マスタ等のデータ管理をユーザがサーバーを用いることなく、安価に行え、また、どこからでも商品データのメンテナンスを可能とするラベルプリンタシステムを提供することを目的とする。【解決手段】ユーザ毎に商品マスタを記憶し、各ユーザからのアプリケーションサービス要求により所望の処理を行うサーバーと、ユーザ毎に設けられるとともに、サーバーとネットワークを介して接続され、サーバーから配信された商品マスタあるいは商品データに基づいて値付けを行うラベルプリンタと、サーバーとネットワークを介して接続され、サーバーに記憶された各ユーザの商品マスタを受信し、アプリケーションサービス要求を送信するユーザ端末とを有することにより、どこからでも商品データのメンテナンスを可能とするラベルプリンタシステムを提供する。【選択図】      図１
2004351775.tif 000002
【特許請求の範囲】
【請求項１】
ユーザ毎に商品マスタを記憶し、各ユーザからのアプリケーションサービス要求により所望の処理を行うサーバーと、
ユーザ毎に設けられるとともに、該サーバとネットワークを介して接続され、該サーバーから配信された商品マスタあるいは商品データに基づいて値付けを行うラベルプリンタと、
前記サーバーとネットワークを介して接続され、前記サーバーに記憶された各ユーザの商品マスタを受信し、アプリケーションサービス要求を送信するユーザ端末と、
を有することを特徴とするラベルプリンタシステム。
【請求項２】
前記ユーザ毎の商品マスタが共通マスタと所定の店舗に対応する店舗マスタとから構成され、
前記ユーザ端末が該共通マスタ内の商品データの変更情報を前記サーバーに送信すると、該サーバーが該送信された商品データの変更情報を前記店舗マスタに対応しない店舗のラベルプリンタに配信するとともに、前記店舗マスタに対応する店舗のラベルプリンタへは選択可能に配信することを特徴とする請求項１に記載されたラベルプリンタシステム。
【請求項３】
前記ユーザ端末が前記店舗マスタ内の商品データの変更情報を前記サーバーに送信したときに、前記店舗マスタ内の商品データのみを更新し、前記送信された変更情報を前記店舗マスタに対応する店舗のラベルプリンタに配信することを特徴とする請求項２に記載されたラベルプリンタシステム。
【請求項４】
前記店舗マスタが、複数の店舗からなるグループに対応することを特徴とする請求項２または請求項３に記載されたラベルプリンタシステム。
【請求項５】
前記サーバーが前記店舗マスタの設定画面を前記ユーザ端末に送信し、前記店舗マスタの設定画面が共通マスタの設定画面上で設定可能な項目のうち、予め選択された項目を設定可能に表示することを特徴とする請求項２から請求項４のいずれかに記載されたラベルプリンタシステム。
【請求項６】
前記サーバーが季節商品に関する季節商品マスタを記憶し、前記季節商品マスタに設定された販売時期に基づいて、前記季節商品の販売開始時期に、前記季節商品マスタから該季節商品の商品データをラベルプリンタに送信するとともに、販売期間が終了したときに、該ラベルプリンタに前記季節商品の商品データを削除する信号を送信することを特徴とする請求項１に記載されたラベルプリンタシステム。
【請求項７】
前記サーバーがユーザの部門毎に商品名あるいは商品に含まれる添加物の入力文字数を制限するユーザ設定手段を有し、前記ユーザ端末から前記商品名あるいは添加物に関する文字を入力したときに、前記ユーザ設定手段により設定された入力文字数を超えた文字の入力を禁止することを特徴とする請求項１に記載されたラベルプリンタシステム。
【請求項８】
前記サーバーが前記ラベルプリンタから商品マスタデータの送信を要求する要求信号を受信したときに、該要求された商品マスタデータを前記ラベルプリンタに一括して送信することを特徴とする請求項１に記載されたラベルプリンタシステム。
【請求項９】
前記サーバーが前記商品マスタの変更情報を記憶する変更情報記憶手段を有し、前記ラベルプリンタの電源がＯＮされたときに、前記変更情報の送信を前記サーバーに要求するとともに、前記サーバーが、該要求信号を受信したときに、前記変更情報記憶手段に記憶された変更情報を前記ラベルプリンタに送信することを特徴とする請求項１に記載されたラベルプリンタシステム。
【請求項１０】
前記ラベルプリンタが複数の印字部を有し、該印字部毎に発行されたラベルの発行実績を前記サーバーに送信するとともに、前記サーバーが送信された前記印字部毎の発行実績を記憶する発行実績記憶手段を有することを特徴とする請求項１に記載されたラベルプリンタシステム。
【発明の詳細な説明】
【０００１】
【発明の属する技術分野】
本発明は、ネットワークを介して商品情報をラベルプリンタに配信するラベルプリンタシステムに関する。
【０００２】
【従来の技術】
従来、処理の高速化を図るために、管理装置に複数台のラベラーを接続したラベル貼付システムにおいては、特定の商品についてのラベル発行枚数が、他の商品に比べて非常に多い場合に、各ラベラーの仕事量がアンバランスにあるという問題があり、これに対応するために、ラベル発行枚数を複数のラベラーに効率よく割り当てる技術があった。（例えば、特許文献１参照。）。
【０００３】
【特許文献１】
特開平１０−４５１２１号公報（第２−７頁、第１図）
【０００４】
【発明が解決しようとする課題】
一方、生鮮食品の加工あるいは生産を行い、ネットワークを介して商品データを受信して、ラベルプリンタによって各商品の値付けを行うユーザにおいては、商品マスタ等のデータを管理するためにサーバーを用いる必要があり、サーバーの保守・管理を行うために、コンピュータやネットワークに関する専門知識を有する人材を雇用しなければならず、人件費に多額の費用を要するといった問題もあった。
【０００５】
そこで、本発明は、上述した問題点に鑑みてなされたものであって、商品マスタ等のデータ管理をサーバーを用いることなく、どこからでも商品データのメンテナンスを可能とするラベルプリンタシステムを提供することを目的とする。
【０００６】
【課題を解決するための手段】
請求項１に係る発明は、ユーザ毎に商品マスタを記憶し、各ユーザからのアプリケーションサービス要求により所望の処理を行うサーバーと、ユーザ毎に設けられるとともに、該サーバとネットワークを介して接続され、該サーバーから配信された商品マスタあるいは商品データに基づいて値付けを行うラベルプリンタと、前記サーバーとネットワークを介して接続され、前記サーバーに記憶された各ユーザの商品マスタを受信し、アプリケーションサービス要求を送信するユーザ端末と、を有することを特徴とするラベルプリンタシステムを提案している。
【０００７】
この発明によれば、サーバー内に記憶する商品マスタの保守・管理をユーザが行う必要がないため、ユーザは従来のように商品マスタ等のデータ管理を行うサーバーを不要とするシステムを構築することができる。また、サーバーとユーザ端末およびラベルプリンタをネットワークを介して接続したことから、ネットワークとしてインターネットを用いたシステムを構成すれば、どこからでも商品マスタ内の商品データをメンテナンスすることができる。
【０００８】
請求項２に係る発明は、請求項１に記載されたラベルプリンタシステムについて、前記ユーザ毎の商品マスタが共通マスタと所定の店舗に対応する店舗マスタとから構成され、前記ユーザ端末が該共通マスタ内の商品データの変更情報を前記サーバーに送信すると、該サーバーが該送信された商品データの変更情報を前記店舗マスタに対応しない店舗のラベルプリンタに配信するとともに、前記店舗マスタに対応する店舗のラベルプリンタへは選択可能に配信することを特徴とするラベルプリンタシステムを提案している。
【０００９】
請求項３に係る発明は、請求項２に記載されたラベルプリンタシステムについて、前記ユーザ端末が前記店舗マスタ内の商品データの変更情報を前記サーバーに送信したときに、前記店舗マスタ内の商品データのみを更新し、前記送信された変更情報を前記店舗マスタに対応する店舗のラベルプリンタに配信することを特徴とするラベルプリンタシステムを提案している。
【００１０】
請求項４に係る発明は、請求項２または請求項３に記載されたラベルプリンタシステムについて、前記店舗マスタが、複数の店舗からなるグループに対応することを特徴とするラベルプリンタシステムを提案している。
【００１１】
これらの発明によれば、商品マスタを共通マスタと店舗マスタとから構成し、店舗マスタに対応する店舗のラベルプリンタには、選択可能に配信するため、各店舗ごとに扱う商品を異ならせたり、同一の商品であっても異なる値段を自由に設定することができる。また、店舗マスタをグループ単位で構成することができるため、例えば、購買層が似通っているなどの販売戦略が共通する複数の店舗をグループ化して、グループ内の共通マスタを作成することができる。
【００１２】
請求項５に係る発明は、請求項２から請求項４のいずれかに記載されたラベルプリンタシステムについて、前記サーバーが前記店舗マスタの設定画面を前記ユーザ端末に送信し、前記店舗マスタの設定画面が共通マスタの設定画面上で設定可能な項目のうち、予め選択された項目を設定可能に表示することを特徴とするラベルプリンタシステムを提案している。
【００１３】
この発明によれば、店舗マスタの設定画面上に、必要な項目のみ表示し、設定できるため、画面上に表示される設定項目を視認しやすく、データの入力ミス等を軽減することができる。
【００１４】
請求項６に係る発明は、請求項１に記載されたラベルプリンタシステムについて、前記サーバーが季節商品に関する季節商品マスタを記憶し、前記季節商品マスタに設定された販売時期に基づいて、前記季節商品の販売開始時期に、前記季節商品マスタから該季節商品の商品データをラベルプリンタに送信するとともに、販売期間が終了したときに、該ラベルプリンタに前記季節商品の商品データを削除する信号を送信することを特徴とするラベルプリンタシステム。
【００１５】
この発明によれば、ユーザはサーバーを持つことなく、記憶する商品ファイルに対して、季節商品の情報のみを自動的に追加し、削除できるためラベルプリンタ側の商品ファイルに関するデータ量を小さくすることができる。
【００１６】
請求項７に係る発明は、請求項１に記載されたラベルプリンタシステムについて、前記サーバーがユーザの部門毎に商品名あるいは商品に含まれる添加物の入力文字数を制限するユーザ設定手段を有し、前記ユーザ端末から前記商品名あるいは添加物に関する文字を入力したときに、前記ユーザ設定手段により設定された入力文字数を超えた文字の入力を禁止することを特徴とするラベルプリンタシステムを提案している。
【００１７】
この発明によれば、ユーザ端末を操作して商品名や添加物に関する文字を入力する場合においても、入力文字数に適切な制限を付すことができるため、入力ミス等を軽減できる。
【００１８】
請求項８に係る発明は、請求項１に記載されたラベルプリンタシステムについて、前記サーバーが前記ラベルプリンタから商品マスタデータの送信を要求する要求信号を受信したときに、該要求された商品マスタデータを前記ラベルプリンタに一括して送信することを特徴とするラベルプリンタシステムを提案している。
【００１９】
この発明によれば、ラベルプリンタからサーバーに要求信号を送信することにより、商品マスタデータを一括送信するため、ラベルプリンタ側で商品ファイルのバックアップを設ける必要がない。
【００２０】
請求項９に係る発明は、請求項１に記載されたラベルプリンタシステムについて、前記サーバーが前記商品マスタの変更情報を記憶する変更情報記憶手段を有し、前記ラベルプリンタの電源がＯＮされたときに、前記変更情報の送信を前記サーバーに要求するとともに、前記サーバーが、該要求信号を受信したときに、前記変更情報記憶手段に記憶された変更情報を前記ラベルプリンタに送信することを特徴とするラベルプリンタシステムを提案している。
【００２１】
この発明によれば、ラベルプリンタの電源がＯＮされたときに、サーバーに対して、商品マスタに関する変更情報の一括送信を要求する信号を送信するため、サーバーが記憶する商品マスタが変更されても、ラベルプリンタの稼動開始時から最新の商品データを利用したラベルを発行することができる。
【００２２】
請求項１０に係る発明は、請求項１に記載されたラベルプリンタシステムについて、前記ラベルプリンタが複数の印字部を有し、該印字部毎に発行されたラベルの発行実績を前記サーバーに送信するとともに、前記サーバーが送信された前記印字部毎の発行実績を記憶する発行実績記憶手段を有することを特徴とするラベルプリンタシステムを提案している。
【００２３】
この発明によれば、ユーザは、専用のサーバーを持たなくても、印字部ごとのラベル発行実績を容易に取得することができる。
【００２４】
【発明の実施の形態】
以下、本発明の実施形態に係るラベルプリンタシステムについて図１から図９
を参照して詳細に説明する。
図１は、本実施形態に係るラベルプリンタシステムの概要を示す図であり、図１においては、ＡＳＰ（ＡＳＰ：Ａｐｐｌｉｃａｔｉｏｎ  Ｓｅｒｖｉｃｅ  Ｐｒｏｖｉｄｅｒ）を運営する管理会社に、複数の小売店舗を経営するユーザがＡＳＰ契約を行った場合の構成例を示している。ただし、実際のシステムにおいては、インターネットを介して多くのユーザが接続されている。
【００２５】
本実施形態にかかるラベルプリンタシステムは、図１に示すように、ユーザ端末としてのＰＣ（ＰＣ：Ｐｅｒｓｏｎａｌ  Ｃｏｍｐｕｔｅｒ）１、ＰＤＡ（ＰＤＡ：Ｐｅｒｓｏｎａｌ  Ｄａｔａ  Ａｓｓｉｓｔａｎｔ）４と、ラベルプリンタを備えた計量値付機２あるいは自動包装値付機３、定額値付け機７と、管理会社のデータセンター内に設けられたサーバー５と、インターネットを構築するネットワーク６とを矢印のように接続して構成されている。ユーザ端末としてのＰＣ１およびＰＤＡ４は、サーバー５から配信された商品マスタを表示し、キーボード等の入力手段により、所望の処理、例えば、商品マスタ内の商品データを追加、削除、変更できる機能を有する。ラベルプリンタを備えた計量値付機２あるいは自動包装値付機３は、サーバー５から配信された商品マスタに基づき値付けを行い、ラベルの発行を行う。
【００２６】
また、サーバー５から配信された商品マスタを記憶するＲＡＭ（ＲＡＭ：Ｒａｎｄｏｍ  Ａｃｃｅｓｓ  Ｍｅｍｏｒｙ）等の書き換え可能な記憶手段を備えるとともに、サーバー５に対して、商品データの一括送信等を要求する通信手段を備えている。サーバー５は、商品マスタを記憶するハードディスク等の記憶手段を備えるともに、パーソナルコンピュータや各値付け機からの上記アプリケーションサービス要求に応じて、各種のアプリケーションを提供する。
【００２７】
図１の構成例においては、例えば、ユーザの本部事務所のＰＣ１からサーバー５内の本ユーザに関する商品マスタ等を参照したり、データのメンテナンス等を行うことができる。データセンター内に設けられたサーバー５は、ログインＩＤ毎に共通マスタ、店舗グループマスタ、店舗マスタからなる商品マスタや、設定項目マスタ、添加物マスタ、季節商品マスタ、部門規定値マスタ、生産実績ログファイル等を記憶管理している。なお、ログインＩＤは各ユーザの販売品目を大分類する部門単位に設けられており、各部門毎に、それぞれのデータが管理できるようになっている。そのため、ユーザ端末からログインすると、入力されたログインＩＤに対応するデータを指定したことになる。
【００２８】
次に、図２（ａ）から（ｄ）を用いて、共通マスタ、店舗グループマスタ、店舗マスタの関係について説明する。
共通マスタとは、本ラベルプリンタシステムに登録された全店舗に共通の商品マスタであり、店舗グループマスタとは、一定の共通した条件に基づいてグループ化された店舗に共通の商品マスタであり、店舗マスタとは、各店舗ごとに設定された商品マスタである。本システムにおいては、上記３つのマスタは、同一の項目で構成され、店舗グループマスタおよび店舗マスタは、共通マスタの内容をベースに異なる項目のみデータを変更することにより作成される。なお、個別に設定できる項目は、各マスタごとに任意の指定が可能となっている。
【００２９】
サーバー５において、各ラベルプリンタに配信するメンテナンスされたデータを作成する時は、店舗別マスタ、店舗グループ別マスタ、共通マスタの順に優先度が定義されている。また、各店舗ごとの商品データの設定パターンとしては、共通マスタのみによる設定、共通マスタと店舗グループ別マスタの組み合わせ、共通マスタと店舗別マスタの組み合わせ、共通マスタと店舗グループ別マスタおよび店舗別マスタの組み合わせの４パターンが考えられる。
【００３０】
次に、上記の４つのパターンに関し、新規データの設定方法、データの変更方法およびデータ削除の方法について説明する。
図２（ａ）は、全店で商品マスタが共通する場合、すなわち、共通マスタのみを設定する場合の概念図である。この場合、新規にデータを設定するときには、全店共通の商品マスタを１レコード作成し、これをネットワークに接続されている店舗にメンテナンス情報として配信すればよい。商品マスタに変更があるときには、変更の内容に応じて、全店共通の商品マスタの内容を変更すれば、全店舗にその変更された商品マスタが配信される。また、商品データの削除を行うときにも、全店共通の商品マスタから対応する商品データの削除を行えば、全店舗にその変更された商品マスタが配信される。
【００３１】
図２（ｂ）は、ある店舗グループについて独自の設定を行う場合の概念図である。この場合、新規にデータを設定するときには、全店共通の商品マスタを１レコード作成し、店舗グループマスタが存在する商品データに関しては、その店舗グループマスタに設定された値が優先して設定され、これらの商品マスタが各店舗に配信される。具体的には、Ｄ店、Ｅ点には共通マスタが配信されるが、Ａ店、Ｂ店、Ｃ店には、共通マスタに店舗グループマスタが反映された商品マスタが配信される。商品マスタに変更があるときは、店舗グループマスタを変更するとその内容がＡ店、Ｂ店、Ｃ店に配信される商品マスタに反映される。
【００３２】
一方で、共通マスタを変更すると、Ｄ店、Ｅ店に配信される商品マスタに反映されるとともに、初期設定された配信条件により、この情報を店舗グループ別マスタにコピーするか否かのメッセージがユーザ端末に表示される。ここで、コピーを行うと操作した場合は店舗グループマスタを変更し、Ａ店、Ｂ店、Ｃ店にその情報を配信する。また、共通マスタから商品データを削除したときは、店舗グループマスタからも該当データが削除されるが、店舗グループマスタから商品データを削除しても共通マスタの該当データは削除されない。
【００３３】
図２（ｃ）は、ある店舗について独自の設定を行う場合の概念図である。この場合、新規にデータを設定するときには、全店共通の商品マスタを１レコード作成し、店舗マスタが存在する商品データに関しては、その店舗マスタに設定された値が優先して設定され、これらの商品マスタが各店舗に配信される。具体的には、Ｂ店、Ｄ店、Ｅ点には共通マスタが配信されるが、Ａ店、Ｃ店には、共通マスタにそれぞれの店舗マスタが反映された商品マスタが配信される。商品マスタに変更があるときは、店舗マスタを変更するとその内容がＡ店、Ｃ店に配信される商品マスタに反映される。
【００３４】
一方で、共通マスタを変更すると、Ｂ店、Ｄ店、Ｅ店に配信される商品マスタに反映されるとともに、この情報を店舗別マスタにコピーするか否かのメッセージがユーザ端末に表示され、（ｂ）の店舗グループマスタと同様に処理する。また、共通マスタから商品データを削除したときは、店舗マスタからも該当データが削除されるが、店舗マスタから商品データを削除しても共通マスタの該当データは削除されない。
【００３５】
図２（ｄ）は、店舗グループに属するある店舗が独自の設定を行う場合の概念図である。この場合、新規にデータを設定するときには、全店共通の商品マスタを１レコード作成し、店舗グループおよびマスタ店舗マスタが存在する商品データに関しては、その店舗グループおよび店舗マスタに設定された値が優先して設定され、これらの商品マスタが各店舗に配信される。
【００３６】
具体的には、Ｄ店には共通マスタが、Ｂ店には、共通マスタにそれぞれの店舗グループマスタが反映された商品マスタが、Ｅ店には、共通マスタにそれぞれの店舗マスタが反映された商品マスタが、Ａ店、Ｃ店には、共通マスタにそれぞれの店舗グループマスタおよび店舗マスタが反映された商品マスタが配信される。商品マスタに変更があるときは、共通マスタを変更すると、変更内容がＤ店に配信される商品マスタに反映され、店舗グループマスタおよび店舗マスタそれぞれに変更内容をコピーするか否かが表示され、（ｂ）、（ｃ）と同様に処理され、変更内容がＡ店、Ｃ店に配信される商品マスタに反映され、Ｅ店には、店舗マスタの変更内容が配信される商品マスタに反映される。つまり、ユーザ端末から変更されたマスタの上位のマスタには影響がなく、下位のマスタには変更するか否かが選択可能になっている。
【００３７】
こうして、店舗のラベルプリンタは、直接対応するマスタの内容と一致した情報を有するようになっている。また、共通マスタから商品データを削除したときは、店舗グループマスタおよび店舗マスタからも該当データが削除されるが、店舗グループマスタから商品データを削除しても共通マスタの該当データは削除されない。すなわち、Ａ店に対応する店舗マスタから商品データが削除されても、上位である共通マスタおよび店舗グループマスタからは該当する商品データの削除はされない。
【００３８】
次に、図３から図６を用いて、各設定画面について説明する。図３は、ユーザ端末のメインメニューから呼び出す共通マスタの設定画面を示している。実際の商品マスタは、図７に示すように、さらに詳細な項目により構成されているが、ユーザ端末上に表示される共通マスタの設定画面においては、ユーザが設定可能な項目のみ表示される。また、品名の項目は、図示しない部門規定値マスタに設定された品名入力文字数により入力制限されている。部門規定値マスタは、各ユーザの部門毎に設けられており、各部門固有の設定値を設定できる。
【００３９】
なお、部門規定値マスタで設定できる項目としては、商品名や添加物文字等があり、これらについては、行毎に最大入力文字数を設定することができる。さらに、店舗グループマスタあるいは店舗マスタ上で特定の商品データを指定する場合には、まず、共通マスタの画面上で、指定する商品の品番を入力し、全ての商品データを表示して確認する。次に、共通マスタの画面下部に表示されている「店舗グループマスタ設定」（複数ある場合には番号毎に複数表示される）、「店舗マスタ設定」（複数ある場合には番号毎に複数表示される）をクリックすることで各マスタを表示し、指定する商品の項目に関し、固有の情報を入力することができる。
【００４０】
項目選択画面は、図４に示すように構成され、ユーザ端末上のメインメニュー画面から設定項目マスタを選択し、店舗グループマスタ又は店舗マスタの設定項目のうち、どの項目を表示して、ユーザの設定を可能とするのかを指定するための画面である。ユーザからの選択があった項目については、黒いマーク表示がされる。図６は、店舗グループマスタの設定画面を示しており、設定項目マスタで黒くマークされた項目についてのみ表示あるいは設定が可能となっている。なお、店舗マスタ設定画面については、図示しないが、店舗グループマスタ設定画面と一部名称が異なるだけで、基本的な構成は同様である。
【００４１】
初期状態では、店舗グループマスタおよび店舗マスタには、データは存在せず、品番入力することにより、初期データとして、共通マスタから入力された品番に対応する商品データがコピーされ、表示される。店舗グループマスタおよび店舗マスタにおいて、固有の設定を行う場合には、後述する設定項目マスタにおいて選択された項目のデータをキー入力する。したがって、店舗グループマスタおよび店舗マスタは、共通マスタに比べてデータ量を小さくすることができる。また、データの配信条件は、後述する企業店舗設定や企業店舗グループ設定、企業店舗マスタ設定、接続機会マスタ等を参照して、店舗グループマスタおよび店舗マスタに該当する品番が存在するか否かの判断により決定される。
【００４２】
次に、図７から図９を用いて、各マスタの構成について説明する。
商品マスタは、図７に示すように、商品に関する様々な項目が定義されている。これらの項目は、ユーザが端末により変更可能な項目と変更不可能な項目とに分類され、ユーザが変更可能な項目については、共通マスタ設定画面上に表示される。添加物マスタは、図８に示すように、添加物に関する様々な項目が定義されている。また、ユーザ端末から添加物に関する文字入力を行う場合には、同じ部門の部門規定値マスタに設定された値に、入力文字数が制限される。生産実績ファイルは、図９に示すように、生産実績に関する様々な項目が定義されている。
【００４３】
なお、これ以外にも、ネットワークに接続される機種に関する情報、例えば、ユーザの部門毎に、部門番号、店舗番号、ラベルプリンタ番号あるいはシングルラベラーかツインラベラーかの区別を格納した接続機種マスタや季節商品に関する情報を格納した季節マスタ、アレルギー物質名称に関する情報を格納したアレルギー物質名称マスタ、ラベル中に記載するコメントに関する情報を格納したコメントマスタ、調理法などのメッセージに関する情報を格納するスペシャルメッセージマスタ等がある。
【００４４】
また、サーバー５内には、ユーザの部門毎に店舗番号が設定でき、どのような店舗があるのかを参照することができる企業店舗設定、ユーザ部門毎に店舗グループマスタ番号と店舗番号および配信条件を設定でき、複数の店舗をグループ分けできる企業店舗グループ設定やユーザ部門毎に店舗マスタ番号と店舗番号と配信条件を設定し、店舗マスタと店舗の関係を設定できる企業店舗マスタ設定といったデータがある。配信条件の設定データとしては、上位のマスタから配信された商品データで同じ商品コードのものがマスタ内にある場合に、コピーするか否かの選択画面を表示する、又は、コピーしないかを設定できる。
【００４５】
次に、ラベルプリンタである計量値付け機２、自動包装値付け機３、定額値付け機７の動作について説明する。以下、これらを総称してラベルプリンタと称する。
まず、ラベルプリンタの電源がＯＮされると、ログインＩＤ、プリンタＩＤおよび商品マスタあるいは添加物マスタの変更あるいは追加フラグの立っている商品データあるいは添加物データの要求コマンドをルータを介してサーバー５に送信する。要求コマンドを受信したサーバー５は、要求コマンドに対応するデータをラベルプリンタに送信し、フラグをクリアしてラベルプリンタの商品ファイルおよび添加物ファイルを最新の状態にする。したがって、ラベルプリンタの電源ＯＮ時には、常に、商品ファイルおよび添加物ファイルの情報が最新の状態になる。
【００４６】
ラベルプリンタの記憶する商品ファイル等が破壊され、あるいは消去された場合、ラベルプリンタがサーバー５に破壊等された商品ファイルあるいは破壊等された商品ファイルを含むすべてのファイルの送信要求コマンドと、ログインＩＤおよびラベルプリンタＩＤを送信する。ラベルプリンタからファイルの送信要求コマンド等を受信したサーバー５は、要求コマンドに応じたデータをラベルプリンタに送信する。したがって、ラベルプリンタ側に不測の事態に備えて、データのバックアップシステムを備えていなくとも、システムの保守・管理を行うことができる。
【００４７】
また、ラベルプリンタに品番入力をし、商品データを呼び出して所定の枚数分のラベルを発行すると、ラベルプリンタがログインＩＤ、ラベルプリンタＩＤ、ラベルの発行枚数、日時、合計金額、合計重量と、印字部が複数ある場合には、印字部番号等をサーバー５に送信する。これらの情報を受信したサーバー５は、受信したデータを順に記憶装置に格納する。したがって、サーバー５がラベルプリンタから生産実績に関するデータをログとして蓄積しているため、例えば、商品や印字部毎の生産実績を容易に取得することができる。
【００４８】
以上、図面を参照して本発明の実施の形態について詳述してきたが、具体的な構成はこれらの実施の形態に限られるものではなく、この発明の要旨を逸脱しない範囲の設計変更等も含まれる。例えば、本実施形態においては、ユーザ端末の例としてＰＣおよびＰＤＡを用いて説明したが、これに限らず、インターネットに接続できる機器、例えば、携帯電話機等を用いてシステムを構築してもよい。
【００４９】
【発明の効果】
以上のように、請求項１の発明によれば、商品マスタ等のデータ管理を行うサーバーを用いなくともシステムを構築することができるため、システム全体のコストダウンを図ることができるという効果がある。
【００５０】
また、請求項２から請求項４の発明によれば、各店舗ごとに扱う商品を異ならせたり、同一の商品であっても異なる値段を自由に設定することができるという効果がある。また、店舗マスタをグループ単位で構成することができるため、販売戦略が共通する複数の店舗をグループ化して、グループ内の共通マスタを作成することができるという効果がある。
【００５１】
また、請求項５の発明によれば、画面上に表示される設定項目を視認しやすく、データの入力ミス等を軽減することができるという効果がある。また、請求項６の発明によれば、ユーザはサーバーを持つことなく、記憶する商品ファイルに対して、季節商品の情報のみを自動的に追加し、削除できるためラベルプリンタ側の商品ファイルに関するデータ量を小さくすることができるという効果がある。
【００５２】
また、請求項７の発明によれば、入力文字数に適切な制限を付すことができるため、入力ミス等を軽減できるという効果がある。また、請求項８の発明によれば、サーバー側から商品データを一括して送信する機能を有していることから、格納したデータのバックアップを備える必要がないという効果がある。
【００５３】
また、請求項９の発明によれば、サーバーが記憶する商品マスタが変更されても、ラベルプリンタの稼動開始時から最新の商品データを利用したラベルを発行することができる。また、請求項１０の発明によれば、ユーザは、専用のサーバーを持たなくても、印字部ごとのラベル発行実績を容易に取得することができるという効果がある。
【図面の簡単な説明】
【図１】ラベルプリンタシステムの概略図である。
【図２】共通マスタ、店舗グループマスタ、店舗マスタの関係を示した図である。
【図３】共通マスタの設定画面を示す図である。
【図４】項目選択画面を示す図である。
【図５】店舗グループマスタの設定画面を示す図である。
【図６】商品マスタの構成を示す図である。
【図７】添加物マスタの構成を示す図である。
【図８】生産実績ファイルの構成を示す図である。
【符号の説明】
１・・・ＰＣ、２・・・計量値付機、３・・・自動包装値付機、４・・・ＰＤＡ、５・・・サーバー（データセンタ）、６・・・ネットワーク（インターネット）、７・・・定額値付機、
【図１】
2004351775.tif 000003
【図２】
2004351775.tif 000004
【図３】
2004351775.tif 000005
【図４】
2004351775.tif 000006
【図５】
2004351775.tif 000007
【図６】
2004351775.tif 000008
【図７】
2004351775.tif 000009
【図８】
2004351775.tif 000010